(57)【要約】      （修正有）【課題】未使用時に保管スペースに苦悩することなく多種多様な機能を持ち合わせたユニット椅子を提供する。【解決手段】水平で所定面積の座面を有する矩形状の座部１１と、座部１１の後方側角部の上面に形成された一対の背柱及び前記一対の背柱間の上部に取り付けられた笠木を有する背もたれ１３と、座部の前方の下面に取り付けられた一対の前脚と、座部の後方側角部の下面に取り付けられた一対の後脚と、を有する脚部１２と、を備えてユニット椅子１０を構成する。さらに、一対の背柱と一対の後脚とは、それぞれ一本の長尺の部材で互いに一体に形成し、座部と一対の前脚との間の角度及び座部と一対の後脚との間の角度は、それぞれ直角とする。【選択図】図１
0003167076.tif 000002
【実用新案登録請求の範囲】
【請求項１】
水平で所定面積の座面を有する矩形状の座部と、前記座部の後方側角部の上面に形成された一対の背柱及び前記一対の背柱間の上部に取り付けられた笠木を有する背もたれと、
前記座部の前方の下面に取り付けられた一対の前脚と、
前記座部の後方側角部の下面に取り付けられた一対の後脚と、を有する脚部と、
を備えるユニット椅子において、
前記一対の背柱と前記一対の後脚とは、それぞれ一本の長尺の部材で互いに一体に形成されており、
前記座部と前記一対の前脚との間の角度及び前記座部と前記一対の後脚との間の角度は、それぞれ直角となされていることを特徴とするユニット椅子。
【請求項２】
前記一対の背柱間には、平板からなる背板が設けられ、
前記座部には、前記背板と同じ形状の平板の複数枚からなる座板が設けられていることを特徴とする請求項１に記載のユニット椅子。
【請求項３】
前記背板は、座した使用者の略腰部に位置するように設けられていることを特徴とする請求項２に記載のユニット椅子。
【請求項４】
前記背もたれの幅と前記一対の長尺の部材の高さは同一とされていることを特徴とする請求項１〜３のいずれかに記載のユニット椅子。
【請求項５】
前記一対の前脚及び前記一対の後脚は、それぞれ互いに隣接脚間に横桟が取り付けられていることを特徴とする請求項１〜４のいずれかに記載のユニット椅子。
【請求項６】
前記一対の前脚間及び前記一対の後脚間に形成されている横桟は、それぞれ前記一対の前脚及び前記一対の後脚の最下端に取り付けられていることを特徴とする請求項５に記載のユニット椅子。
【請求項７】
前記座部、前記背もたれ及び前記脚部を構成する各部材は、木材、硬化樹脂及び軽金属から選択された少なくとも１種から形成されていることを特徴とする請求項１〜６のいずれかに記載のユニット椅子。
【請求項８】
同一形状に形成された複数個の請求項１〜７のいずれかに記載のユニット椅子が、それぞれ側面が接するようにして隣接配置されていることを特徴とするベンチ。
【請求項９】
同一形状に形成された少なくとも一対の請求項１〜７のいずれかに記載のユニット椅子が、前記座部を同一面状になるように向かい合わせに接して配置されていることを特徴とするベッド。
【請求項１０】
同一形状に形成された少なくとも一対の請求項１〜７のいずれかに記載のユニット椅子が、背もたれ側を対向させて人が通行可能な一定距離離間させて配置されていることを特徴とする歩行訓練器具。
【請求項１１】
同一形状に形成された請求項１〜７に記載のユニット椅子が、複数個積み重ねられていることを特徴とする棚。
【請求項１２】
請求項１〜７のいずれかに記載のユニット椅子と前記ユニット椅子の前記座部の下側に取り付けられた電気炬燵ヒータからなることを特徴とする暖房器具。
【請求項１３】
同一形状に形成された請求項１〜７のいずれかに記載のユニット椅子が、階段状に複数個積み重ねられていることを特徴とする脚立。
【請求項１４】
同一形状に形成された請求項１〜７のいずれかに記載のユニット椅子が、少なくとも２つ所定距離を離して背中合わせ又は向かい合わせに配置され、前記それぞれのユニット椅子の背もたれの頂部に所定面積を有する板状部材が載置されていることを特徴とする台。
【請求項１５】
前記板状部材の表面の高さが７６ｃｍとされ、卓球台状に加工されていることを特徴とする請求項１４に記載の台。
【考案の詳細な説明】
【技術分野】
【０００１】
この考案は、ユニット椅子及びこのユニット椅子を利用した器具に関し、詳しくは、一般家庭用、個人用、企業用、商店用及び公共施設用に適合する多機能を持ち合わせたユニット椅子及びこのユニット椅子を利用したベンチ、ベッド、棚及び台等の器具に関する。
【背景技術】
【０００２】
従来、椅子は、座って使用しない限りはその保管場所、保管スペースに苦慮するところが大きい。また、単にその用途は椅子として人が座るというものが大半であった。そして、使用する場所も、洋間の床面、和室の畳上、土間などの平らな表面だけでなく、斜面上など、椅子を設置するのが容易でない場合もある。
【０００３】
このような課題を解決するために、下記特許文献１には、積み重ねて収納できるいわゆるスタッキング椅子の発明が開示されている。下記特許文献１に記載のスタッキング椅子によれば、大きな傾きを防止し、積み重ねの安定化を図ることができるとされている。また、下記特許文献２には、長椅子及びこの長椅子の集積方法が開示されている。下記特許文献２に記載の長椅子及びこの長椅子の集積方法によれば、長椅子を長手方向が上下方向を向くように起立させ、この状態の長椅子を横方向に係合して集積するようにすることで、少ないスペースで多数の長椅子を安定的に多段集積することができるとされている。
【０００４】
また、下記特許文献３には、多用途家具の発明が開示されている。下記特許文献３に記載の多用途家具によれば、側枠に対する平板の高さを変化させたり、複数個積み上げたり、ハンガーパイプを取り付けたりして、椅子、机、棚、ハンガーラック等、様々な用途に使用できるので、長期間に亘って活用することができ、また、この多用途家具の製造材料として天然木を素材に用いると、年月の経過に伴い味わい深いものとなるとされている。また、下記特許文献４には、簡単な操作で、ベッド、テーブル、又は背もたれのある椅子の形態をとることができる多機能家具の発明が開示されている。
【先行技術文献】
【特許文献】
【０００５】
【特許文献１】特開２００３−１８０４８０
【特許文献２】特開平１１−２４４０８４
【特許文献３】特開２００４−３１３２５１
【特許文献４】特開２００１−０１７２５２
【考案の概要】
【考案が解決しようとする課題】
【０００６】
しかし、上記特許文献１に記載のスタッキング椅子は、脚やフレーム等が細いパイプで構成されているので、椅子自体で十分な安定性を得るのが困難である。また、上記特許文献１に記載のスタッキング椅子は、椅子としての利用方法しかなく、多目的に利用することができない。一方、上記特許文献２に記載の長椅子では、構造は頑丈であるが、その集積方法は、長椅子を縦置きにする必要があるため、転倒等の安全性に疑問が残り、また、縦置きにするのに手間と労力を必要とする。また、上記特許文献３に記載の多用途家具では様々な用途に使用することができ、上記特許文献４に記載の多機能家具では様々な形態をとることができるが、どちらも構造が複雑で、部品点数も多く、作製が困難である。さらに、これらの家具の不使用時には収納場所に困るおそれがある。
【０００７】
そこで、考案者は、上記課題を解決するために、椅子の構造を水平な座部に対し前脚及び後脚が直角になるようにし、さらに背もたれの背柱と後脚を一本の支柱とすることで、椅子として高い安定性が得られるとともに、この安定性の高い椅子同士を組み合わせることで、様々な器具を安定して利用でき、且つ狭いスペースにも収納が可能であることを見出し、本考案を完成するに至ったのである。
【０００８】
すなわち、本考案の目的は、未使用時の椅子の保管を最小限のスペースで行えるとともに、様々な場所でも安定して配置でき、さらに複数個組み合わせることで様々な器具に利用が可能なユニット椅子を提供することにある。
【課題を解決するための手段】
【０００９】
上記課題を解決するために、本発明の第１の態様のユニット椅子は、水平で所定面積の座面を有する矩形状の座部と、前記座部の後方側角部の上面に形成された一対の背柱及び前記一対の背柱間の上部に取り付けられた笠木を有する背もたれと、前記座部の前方の下面に取り付けられた一対の前脚と、前記座部の後方側角部の下面に取り付けられた一対の後脚と、を有する脚部と、を備えるユニット椅子において、前記一対の背柱と前記一対の後脚とは、それぞれ一本の長尺の部材で互いに一体に形成されており、前記座部と前記一対の前脚との間の角度及び前記座部と前記一対の後脚との間の角度は、それぞれ直角となされていることを特徴とする。
【００１０】
また、第２の態様のユニット椅子は、第１の態様のユニット椅子において、前記一対の背柱間には、平板からなる背板が設けられ、前記座部には、前記背板と同じ形状の平板の複数枚からなる座板が設けられていることを特徴とする。
【００１１】
また、第３の態様のユニット椅子は、第２の態様のユニット椅子において、前記背板は、座した使用者の略腰部に位置するように設けられていることを特徴とする。
【００１２】
また、第４の態様のユニット椅子は、第１〜３のいずれかの態様のユニット椅子において、前記背もたれの幅と前記一対の長尺の部材の高さは同一とされていることを特徴とする。
【００１３】
また、第５の態様のユニット椅子は、第１〜４のいずれかの態様のユニット椅子において、前記一対の前脚及び前記一対の後脚は、それぞれ互いに隣接脚間に横桟が取り付けられていることを特徴とする。
【００１４】
また、第６の態様のユニット椅子は、第５の態様のユニット椅子において、前記一対の前脚間及び前記一対の後脚間に形成されている横桟は、それぞれ前記一対の前脚及び前記一対の後脚の最下端に取り付けられていることを特徴とする。
【００１５】
また、第７の態様のユニット椅子は、第１〜６のいずれかの態様のユニット椅子において、前記座部、前記背もたれ及び前記脚部を構成する各部材は、木材、硬化樹脂及び軽金属から選択された少なくとも１種から形成されていることを特徴とする。
【００１６】
また、本発明の第８の態様のベンチは、同一形状に形成された複数個の請求項第１〜７のいずれかの態様のユニット椅子が、それぞれ側面が接するようにして隣接配置されていることを特徴とする。
【００１７】
また、本発明の第９の態様のベッドは、同一形状に形成された少なくとも一対の第１〜７のいずれかの態様のユニット椅子が、前記座部を同一面状になるように向かい合わせに接して配置されていることを特徴とする。
【００１８】
また、本発明の第１０の態様の歩行訓練器具は、同一形状に形成された少なくとも一対の第１〜７のいずれかの態様のユニット椅子が、背もたれ側を対向させて人が通行可能な一定距離離間させて配置されていることを特徴とする。
【００１９】
また、本発明の第１１の態様の棚は、同一形状に形成された第１〜７の態様のユニット椅子が、複数個積み重ねられていることを特徴とする。
【００２０】
また、本発明の第１２の態様の暖房器具は、第１〜７のいずれかの態様のユニット椅子と前記ユニット椅子の前記座部の下側に取り付けられた電気炬燵ヒータからなることを特徴とする。
【００２１】
また、本発明の第１３の態様の脚立は、同一形状に形成された第１〜７のいずれかの態様のユニット椅子が、階段状に複数個積み重ねられていることを特徴とする。
【００２２】
また、本発明の第１４の態様の台は、同一形状に形成された第１〜７のいずれかの態様のユニット椅子が、少なくとも２つ所定距離を離して背中合わせ又は向かい合わせに配置され、前記それぞれのユニット椅子の背もたれの頂部に所定面積を有する板状部材が載置されていることを特徴とする。
【００２３】
また、本発明の第１５の態様の台は、第１４の態様の台において、前記板状部材の表面の高さが７６ｃｍとされ、卓球台状に加工されていることを特徴とする。
【考案の効果】
【００２４】
第１の態様のユニット椅子によれば、座部に対して、一対の前脚及び一対の後脚と背柱とを一本で形成した一対の長尺の部材とが直角に形成され、さらに、一対の前脚と一対の長尺の部材とが互いに平行に形成されていることになるので、安定性を高くすることができる。また、全体的に方形状や矩形状に形成されているので、複数個のユニット椅子を積み重ねても安定性を損なわないので、未使用時に積み重ねておくことで保管場所を最小限にすることができる。
【００２５】
第２の態様のユニット椅子によれば、背板と座板を同じ形状の平板で形成することができるので、部材の製造が簡単になるとともに、見た目の統一感があり、デザイン性を高くすることができる。
【００２６】
第３の態様のユニット椅子によれば、背もたれの背板部分が丁度使用者の腰骨あたりに触れ、安定感のある座り心地を提供することができる。
【００２７】
第４の態様のユニット椅子によれば、ユニット椅子の高さと横の幅の長さを同じとすることで、特に、複数のユニット椅子を並べたり積み上げたりするとき、規則正しく整列させることができ、その結果、安定性を高くすることができるようになる。
【００２８】
第５の態様のユニット椅子によれば、脚が横桟により固定され頑丈になり、より安定性が得られる。
【００２９】
第６の態様のユニット椅子では、地面と接する側に横桟が前脚及び後脚のそれぞれに接合されているので、従来のように脚を直接床等に設置させるような場合では、接触面積が小さいため、大きな荷重が脚をおいた部分にかかり、床等が変形するおそれがある。しかし、第６の態様のユニット椅子によれば、前脚同士及び後脚同士がそれぞれ横桟、例えば水平な直方体の棒によって一体に固定されることとなるので、接触面積を大きくすることができるので、椅子を設置するのが困難な場所、例えば畳や土の上でも安定して設置することができる。
【００３０】
第７の態様のユニット椅子によれば、ユニット椅子が木材で形成されていれば、木の温かさが伝わりインテリアとしても十分利用することができる。また、ユニット椅子が硬化樹脂、例えば強化プラスチックで形成されていれば、軽量で製造費用を抑えることができる。また、ユニット椅子が軽金属、例えば、アルミニウム合金で形成されていれば、頑丈であり比較的軽量に形成することができる。さらに、ユニット椅子の各部材ごとに材質を異ならせて形成することで、各材質の特徴を最大限に発揮させることができる。
【００３１】
第８の態様のベンチによれば、少人数しか座れないユニット椅子を複数個組み合わせることで、ベンチとして多人数で使用することができる。さらに、ユニット椅子はその側面が平面であるので、複数個並べても隙間ができないので、ベンチとして効率よく座ることができる。
【００３２】
第９の態様のベッドによれば、複数個のユニット椅子の座部を同一面に配置することで、例えば簡易ベッドとして使用することができ、背もたれ部分により転落防止機能を奏させることができる。また、安全性を考慮し、これらの周りを布団等で覆うことでベビーベッドとしても利用することができる。
【００３３】
第１０の態様の歩行訓練器具によれば、安定性の高いユニット椅子の背もたれ部分を手すりとして利用し、お年寄りや足の不自由の人の歩行訓練器具とすることができる。また、一対のユニット椅子の配置する数を増やすことで、歩行訓練器具の長さを適宜変更することができ、歩行訓練を行う場所に合わせて、また歩行訓練の長さを適宜に調整して行うことができる。
【００３４】
第１１の態様の棚によれば、ユニット椅子は、規則正しい方形状又は矩形状の面を有しているので、積み重ねることで、本棚や物置棚等の棚として利用することができる。また、ユニット椅子の脚部分は、平面視で矩形状をしており、さらに、前脚及び後脚は平行に形成されているので、複数個を安定して積み上げることができる。なお、このユニット椅子を一定の広さを有する物置や押入れ、車の荷台やトランク等の閉塞空間に置くだけで、棚として利用することができる。このとき、ユニット椅子を縦置きとするだけでなく、横向きに置いて利用してもよい。また、同じ向きに積み重ねるだけでなく、逆さまにしても積み重ねることができるので、利便性がよくなる。
【００３５】
第１２の態様の暖房器具によれば、ユニット椅子は、シンプルな形状なので、容易に毛布等で足下を覆うことができ、冬場の立ち仕事などに暖をとりながらの効率性を高めることができる。
【００３６】
第１３の態様の脚立によれば、ユニット椅子は安定性が高く、複数個階段状に積み重ねて脚立としても、安定性を損なうことが少ないので安全に使用することができる。
【００３７】
第１４の態様の台によれば、安定性の高いユニット椅子自体を脚として利用した台を形成することができ、この台をテーブル、簡易作業台、勉強机及び調理台等として利用することができる。また、ユニット椅子は、高い安定性を有しているので、台自体も高い安定性を有することができる。
【００３８】
第１５の態様の台によれば、安定性の高いユニット椅子自体を脚として利用した、卓球の公式規則に準じた卓球台として利用することができる。
【図面の簡単な説明】
【００３９】
【図１】図１Ａは実施形態１にかかるユニット椅子の正面斜視図であり、図１Ｂは背面斜視図である。
【図２】図２は図１のユニット椅子の６面図を示し図２Ａは正面図、図２Ｂは一方の側面図、図２Ｃは他方の側面図、図２Ｄは上面図、図２Ｅは底面図、図２Ｆは背面図である。
【図３】図１のユニット椅子の一部を分解した斜視図である。
【図４】図１のユニット椅子の座板を取り外した状態を示した斜視図である。
【図５】図５Ａはユニット椅子を２つ使用した場合のベンチを示した斜視図であり、図５Ｂはユニット椅子を３つ使用した場合のベンチを示した斜視図である。
【図６】図６Ａはユニット椅子を６つ使用した場合のベッドを示した斜視図であり、図６Ｂは図６Ａのベッドの上面図であり、図６Ｃは図６Ａのベッドの側面図である。
【図７】図７Ａはユニット椅子を６つ使用した場合の歩行訓練器具を示した斜視図であり、図７Ｂは図７Ａの歩行訓練器具の上面図であり、図７Ｃは図７Ａの歩行訓練器具の側面図である。
【図８】図８Ａはユニット椅子を３つ使用した場合の棚を示した斜視図であり、図８Ｂは図８Ａの棚の側面図である。
【図９】図９Ａはユニット椅子を３つ使用した場合の脚立を示した斜視図であり、図９Ｂは図９Ａの脚立の側面図である。
【図１０】図１０Ａはユニット椅子を２つ使用した場合の台を示した斜視図であり、図１０Ｂは図１０Ａの台の側面図である。
【図１１】ユニット椅子を４つ使用した場合の台を示した斜視図である。
【考案を実施するための形態】
【００４０】
以下、図面を参照して本考案の実施形態を説明する。但し、以下に示す実施形態は、本考案の技術思想を具体化するためのユニット椅子及びこのユニット椅子を利用した器具を例示するものであって、本考案をこれに特定することを意図するものではなく、実用新案登録請求の範囲に含まれるその他の実施形態のものにも等しく適応し得るものである。
【００４１】
［実施形態１］
図１〜図４を参照して、実施形態１に係るユニット椅子について説明する。図１及び図２に示すように、実施形態１に係るユニット椅子１０は、水平に形成された座部１１とこの座部１１と直角に設けられた一対の前脚２０ａ、２０ｂ及び後脚２１ａ、２１ｂからなる脚部１２と、座部１１の後方側に設けられた背もたれ１３とで構成されている。以下、各構成を説明する。
【００４２】
座部１１は、地面と平行に形成され、図３及び図４に示すように、座部１１の周囲に配置される各座枠と複数の平板で構成される座板１９とで形成されている。各座枠は、長尺の角材からなる前方側の前座枠１４、後方側の後座枠１５と短尺の角材からなる両側座枠１６、１７とを有し、両側座枠１６、１７とは、前座枠１４及び後座枠１５の端部に重ねて接合されている。なお、実施形態１にかかる座部１１には、側座枠１６、１７と同じ短尺の角材からなる２本の補強部材１８が前座枠１４及び後座枠１５の上側に等間隔に載置され接合されている。なお、補強部材の使用は任意であり、座枠にある程度の強度があれば使用しなくてもよく、一方、使用する場合は２本に限られず、１本でもまた、３本以上でもよい。また、座板１９は、前座枠１４及び後座枠１５の長さと略同じ長さの平板を両側座枠１６、１７の上に複数枚並べて接合されている。この座板１９は、座部１１が覆われる大きさであれば良く、その平板の枚数は３〜４枚が好ましい。
【００４３】
次に、前脚２０ａ、２０ｂは一対の短尺の支柱からなり、各前脚２０ａ、２０ｂの頂端部２０ａ１、２０ｂ１が、座部１１の両側座枠１６、１７の下側と重畳して形成されている。後脚２１ａ、２１ｂは、一対の長尺の支柱（実用新案登録請求の範囲では、長尺の部材と記載されている。以下同じ。）２７ａ、２７ｂで形成されており、座部１１と接合された部分から下側部分が該当する。この各長尺の支柱２７ａ、２７ｂの略中央部分に、座部１１の後座枠１５の両端部の側面が接合されている。なお、この長尺の支柱２７ａ、２７ｂは、後述する背もたれ１３の背柱２５ａ、２５ｂと一体の一本の支柱で形成されている。
【００４４】
また、それぞれ同じ側にある前脚２０ａ、２０ｂと後脚２１ａ、２１ｂ同士は、その最下方の内側側面が互いに桟２２ａ、２２ｂで連結されている。さらに、前脚２０ａ、２０ｂ同士及び後脚２１ａ、２１ｂ同士はそれぞれ、下方端部に長尺の棒状体からなる横桟２３ａ、２３ｂが接合されており、この横桟２３ａ、２３ｂの下側になる一側面が地面等の載置される部分と接触することとなる。このようにすることで、設置場所との接触面積を大きくすることができるので、椅子を設置するのが困難な場所、例えば畳や土の上、さらには傾斜地でも安定して設置することができる。
【００４５】
背もたれ１３は、前述した一対の長尺の支柱２７ａ、２７ｂの上部側からなる背柱２５ａ、２５ｂと、この背柱２５ａ、２５ｂの頂端部２５ａ１、２５ｂ１に接合された長尺の笠木２４と、背柱２５ａ、２５ｂの上部及び笠木２４の側面に接合された平板からなる背板２６で構成されている。この背板２６は、前述した座板１９と同じ形状で形成されている。このように、背板と座板を同じ形状の平板で形成することで、部材の製造が簡単になるとともに、見た目の統一感があり、デザイン性を高くすることができる。また、背板２６は、使用者が座ったときに、使用者の腰部に当たるように形成すると安定感のある座り心地を提供することができるので好ましい。
【００４６】
また、ユニット椅子の背もたれ１３の幅長と長尺の支柱２７ａ、２７ｂの高さが同じになるように形成すると、特に、複数のユニット椅子を並べたり積み上げたりするとき、規則正しく整列させることができ、その結果、安定性を高くすることができるようになる。
【００４７】
なお、各部材の結合については、一般的なねじ及び釘並びに各種継手等を用いて行うことができるので、詳細な説明は省略する。
【００４８】
以上のような構成を備えた実施形態１のユニット椅子によれば、座部に対して、一対の前脚及び一対の長尺の部材とが直角に形成され、さらに、一対の前脚と一対の長尺の部材とが互いに平行に形成されているので、安定性を高くすることができる。また、全体的に方形状や矩形状に形成されているので、複数個のユニット椅子を積み重ねても安定性を損なわないので、未使用時に積み重ねておくことで保管場所を最小限にすることができる。
【００４９】
また、ユニット椅子の全体又はユニット椅子を構成する各部材を、木材、硬化樹脂及び軽金属等のなかから適宜選択して形成するようにすることができる。ユニット椅子が木材で形成されていれば、木の温かさが伝わり、インテリアとしても十分利用することができる。また、ユニット椅子が硬化樹脂、例えば強化プラスチックで形成されていれば、軽量で製造費用を抑えることができる。また、ユニット椅子が軽金属、例えば、アルミニウム合金で形成されていれば、頑丈であり、比較的軽量に形成することができる。さらに、ユニット椅子の各部材により材質を異ならせて形成することもでき、例えば、脚の部分には、高い強度を有する軽金属で形成し、座部を木材で形成し、補強部分を硬化樹脂で形成するようにすると各材質の特徴を最大限に発揮させたユニット椅子が得られる。
【００５０】
また、椅子の下、例えば座部の下側に暖房器具、例えば電気炬燵ヒータを取り付け、毛布等で足下を覆うことで簡単に椅子型の電気炬燵を形成することができる。
【００５１】
［実施形態２］
次に、実施形態１で説明したユニット椅子を複数個使用した器具について説明する。
まず、図５に示すように、同一形状に形成されたユニット椅子１０を複数個横に接して並べることでベンチ２８Ａ、２８Ｂを形成することができる。なお、図５Ａは、ユニット椅子１０を２つ使用したベンチ２８Ａを示し、図５Ｂは、ユニット椅子１０を３つ使用したベンチ２８Ｂを示している。このようにすることで、少人数しか座れないユニット椅子を複数個組み合わせるだけで、ベンチとして多人数で使用することができる。さらに、ユニット椅子はその側面が平面であるので、複数個並べても隙間ができないので、ベンチとして効率よく座ることができる。
【００５２】
次に、図６に示すように、同一形状に形成されたユニット椅子１０の一対を座部が合い向かいになるように配置し、この一対のユニット椅子を複数個つなぎ合わせ、座部の表面が同一面となるようにすることで、ベッド２９を形成することができる。このようにユニット椅子でベッドを形成することで、背もたれ部分により転落を防止することができる。また、安全性を考慮し、これらの周りを布団等で覆うことでベビーベッドとしても利用することもできる。
【００５３】
次に、図７に示すように、同一形状に形成されたユニット椅子１０の一対を背もたれ側を向かい合わせにし、各背もたれの間を人が通行可能な一定距離Ｘ、例えば３０〜４０ｃｍ離して配置し、この一対のユニット椅子を複数個つなぎ合わせることで、歩行訓練器具３０を形成することができる。ユニット椅子で歩行訓練器具を形成することで、安定性の高いユニット椅子の背もたれ部分を手すりとして利用することができる。また、一対のユニット椅子の配置する数を増やすことで、歩行訓練器具の長さを適宜変更することができ、歩行訓練を行う場所に合わせて、また歩行訓練を調整して行うことができる。
【００５４】
次に、図８に示すように、同一形状に形成されたユニット椅子１０を複数個積み上げることで、本棚や物置棚等の棚３１を形成することができる。ユニット椅子は、規則正しい方形状又は矩形状の面を有しているので、安定して積み重ねることができる。なお、このユニット椅子を一定の広さを有する物置や押入れ、車の荷台やトランク等の閉塞空間に置くだけで、棚として利用することができる。このとき、ユニット椅子を縦置きとするだけでなく、横向きに置いて利用してもよい。また、同じ向きに積み重ねるだけでなく、逆さまにして積み重ねてもよい。
【００５５】
次に、図９に示すように、同一形状に形成されたユニット椅子１０を階段状に積み上げることで、脚立３２を形成することができる。安定性の高いユニット椅子は、複数個階段状に積み重ねて脚立とすることで安全に使用することができる。
【００５６】
次に、図１０に示すように、同一形状に形成された一対のユニット椅子１０を所定距離離し対向させて配置し、その背もたれ１３上に板状部材３３ａを載置させることで、台３３Ａを形成することができる。このとき、ユニット椅子は、座部１１側が対向する向かい合わせでも背もたれ１３側が対向する背中合わせでもよい。このようにすることで、ユニット椅子は、背もたれ部分が広く、横に長く、平らであるため、ユニット椅子自体を台の脚とすることで台の安定性も高くなるので、作業台、勉強机、調理台等に利用できる台となる。なお、図１１に示すように、脚として使用するユニット椅子の個数を増やすことで、大きな板状部材３３ｂを載せることができるようになり、幅広い用途に使用できる台３３Ｂとすることができる。また、ユニット椅子の高さを約７６ｃｍとし、板状部材を卓球台とすることで、卓球の公式規則に則った卓球台を形成することができる。
【００５７】
また、台の脚として使用されるユニット椅子の下、例えば座部の下側に暖房器具、例えば電気炬燵ヒータを取り付け、周囲を毛布等で覆うことで簡単に卓上型電気炬燵を形成することができる。
【００５８】
以上のように、本考案にかかるユニット椅子を用いることで様々な器具を形成ることができる。
【符号の説明】
【００５９】
１０…ユニット椅子  １１…座部  １２…脚部  １３…背もたれ  １４…前座枠  １５…後座枠  １６…側座枠  １７…側座枠  １８…補強部材  １９…座板  ２０ａ、２０ｂ…前脚  ２１ａ、２１ｂ…後脚  ２２ａ，２２ｂ…桟  ２３ａ、２３ｂ…横桟  ２４…笠木  ２５ａ、２５ｂ…背柱  ２６…背板  ２７ａ、２７ｂ…長尺の支柱  ２８…ベンチ  ２９…ベッド  ３０…歩行訓練器具  ３１…棚  ３２…脚立  ３３Ａ、３３Ｂ…台  ３３ａ、３３ｂ…板状部材
【図１】
0003167076.tif 000003
【図２】
0003167076.tif 000004
【図３】
0003167076.tif 000005
【図４】
0003167076.tif 000006
【図５】
0003167076.tif 000007
【図６】
0003167076.tif 000008
【図７】
0003167076.tif 000009
【図８】
0003167076.tif 000010
【図９】
0003167076.tif 000011
【図１０】
0003167076.tif 000012
【図１１】
0003167076.tif 000013
【手続補正書】
【提出日】平成23年1月27日(2011.1.27)
【手続補正１】
【補正対象書類名】実用新案登録請求の範囲
【補正対象項目名】全文
【補正方法】変更
【補正の内容】
【実用新案登録請求の範囲】
【請求項１】
水平で所定面積の座面を有する矩形状の座部と、前記座部の後方側角部の上面に形成された一対の背柱及び前記一対の背柱間の上部に取り付けられた笠木を有する背もたれと、
前記座部の前方の下面に取り付けられた一対の前脚と、
前記座部の後方側角部の下面に取り付けられた一対の後脚と、を有する脚部と、
を備えるユニット椅子において、
前記一対の背柱と前記一対の後脚とは、それぞれ一本の長尺の部材で互いに一体に形成されており、
前記座部と前記一対の前脚との間の角度及び前記座部と前記一対の後脚との間の角度は、それぞれ直角となされていることを特徴とするユニット椅子。
【請求項２】
前記一対の背柱間には、平板からなる背板が設けられ、
前記座部には、前記背板と同じ形状の平板の複数枚からなる座板が設けられていることを特徴とする請求項１に記載のユニット椅子。
【請求項３】
前記背板は、座した使用者の略腰部に位置するように設けられていることを特徴とする請求項２に記載のユニット椅子。
【請求項４】
前記背もたれの幅と前記一対の長尺の部材の高さは同一とされていることを特徴とする請求項１〜３のいずれかに記載のユニット椅子。
【請求項５】
前記一対の前脚及び前記一対の後脚は、それぞれ互いに隣接脚間に横桟が取り付けられていることを特徴とする請求項１〜４のいずれかに記載のユニット椅子。
【請求項６】
前記一対の前脚間及び前記一対の後脚間に形成されている横桟は、それぞれ前記一対の前脚及び前記一対の後脚の最下端に取り付けられていることを特徴とする請求項５に記載のユニット椅子。
【請求項７】
前記座部、前記背もたれ及び前記脚部を構成する各部材は、木材、硬化樹脂及び軽金属から選択された少なくとも１種から形成されていることを特徴とする請求項１〜６のいずれかに記載のユニット椅子。
【請求項８】
同一形状に形成された複数個の請求項１〜７のいずれかに記載のユニット椅子が、それぞれ側面が接するようにして隣接配置されていることを特徴とするベンチ。
【請求項９】
同一形状に形成された少なくとも一対の請求項１〜７のいずれかに記載のユニット椅子が、前記座部を同一面状になるように向かい合わせに接して配置されていることを特徴とするベッド。
【請求項１０】
同一形状に形成された少なくとも一対の請求項１〜７のいずれかに記載のユニット椅子が、背中合わせに対向させて人が通行可能な一定距離離間させて配置されていることを特徴とする歩行訓練器具。
【請求項１１】
同一形状に形成された請求項１〜７のいずれかに記載のユニット椅子が、前記座部上に前記脚部が載せられることで複数個積み重ねられていることを特徴とする棚。
【請求項１２】
請求項１〜７のいずれかに記載のユニット椅子と前記ユニット椅子の前記座部の下側に取り付けられた電気炬燵ヒータからなることを特徴とする暖房器具。
【請求項１３】
同一形状に形成された請求項１〜７のいずれかに記載のユニット椅子が、前記前脚が前方となるように同一方向に配置され、前記座部が階段状となるように複数個積み重ねられていることを特徴とする脚立。
【請求項１４】
同一形状に形成された請求項１〜７のいずれかに記載のユニット椅子が、少なくとも２つ所定距離を離して背中合わせ又は向かい合わせに配置され、前記それぞれのユニット椅子の背もたれの頂部に所定面積を有する板状部材が載置されていることを特徴とする台。
【請求項１５】
前記板状部材の表面の高さが７６ｃｍとされ、卓球台状に加工されていることを特徴とする請求項１４に記載の台。
【手続補正２】
【補正対象書類名】明細書
【補正対象項目名】００１８
【補正方法】変更
【補正の内容】
【００１８】
また、本発明の第１０の態様の歩行訓練器具は、同一形状に形成された少なくとも一対の第１〜７のいずれかの態様のユニット椅子が、背中合わせに対向させて人が通行可能な一定距離離間させて配置されていることを特徴とする。
【手続補正３】
【補正対象書類名】明細書
【補正対象項目名】００１９
【補正方法】変更
【補正の内容】
【００１９】
また、本発明の第１１の態様の棚は、同一形状に形成された第１〜７のいずれかの態様のユニット椅子が、前記座部上に前記脚部が載せられることで複数個積み重ねられていることを特徴とする。
【手続補正４】
【補正対象書類名】明細書
【補正対象項目名】００２１
【補正方法】変更
【補正の内容】
【００２１】
また、本発明の第１３の態様の脚立は、同一形状に形成された第１〜７のいずれかの態様のユニット椅子が、前記前脚が前方となるように同一方向に配置され、前記座部が階段状となるように複数個積み重ねられていることを特徴とする。